【手続補正書】
【提出日】平成24年1月20日(2012.1.20)
【手続補正１】
【補正対象書類名】特許請求の範囲
【補正対象項目名】全文
【補正方法】変更
【補正の内容】
【特許請求の範囲】
【請求項１】
第１の無線装置から第２の無線装置にデータを通信する方法において、
第１の複数のデータビットから第１のデータパケットを生成するのに第１のインタリーブスキーム及び第１のサブキャリアマッピングスキームの少なくとも一方を採用するステップ、
前記第１のデータパケットを前記第２の無線装置に送信するステップ、並びに
前記第１のデータパケットが前記第２の無線装置により正しく受信されない場合に、
前記第１の複数のデータビットから第２のデータパケットを作成するのに第２のインタリーブスキーム及び第２のサブキャリアマッピングスキームの少なくとも一方を採用するステップ、及び
前記第２のデータパケットを前記第２の無線装置に送信するステップ、
を有する方法。
【請求項２】
前記第１のデータパケットを符号化するステップと、
前記第１のデータパケットが前記第２の無線装置により正しく受信されない場合に、
前記第１のデータパケットを符号化するのに使用したのと同じ符号化スキームを使用して前記第２のデータパケットを符号化するステップと、
を有する請求項１に記載の方法。
【請求項３】
前記第１のインタリーブスキーム及び前記第１のサブキャリアマッピングスキームの両方が、前記第１の複数のデータビットから前記第１のデータパケットを生成するのに採用され、前記第１のインタリーブスキーム及び前記第２のサブキャリアマッピングスキームが、前記第１の複数のデータビットから前記第２のデータパケットを生成するのに採用される、請求項１に記載の方法。
【請求項４】
前記第１のインタリーブスキーム及び前記第１のサブキャリアマッピングスキームの両方が、前記第１の複数のデータビットから前記第１のデータパケットを生成するのに採用され、前記第２のインタリーブスキーム及び前記第１のサブキャリアマッピングスキームが、前記第１の複数のデータビットから前記第２のデータパケットを生成するのに採用される、請求項１に記載の方法。
【請求項５】
前記第１のインタリーブスキーム及び前記第１のサブキャリアマッピングスキームの両方が、前記第１の複数のデータビットから前記第１のデータパケットを生成するのに採用され、前記第２のインタリーブスキーム及び前記第２のサブキャリアマッピングスキームが、前記第１の複数のデータビットから前記第２のデータパケットを生成するのに採用される、請求項１に記載の方法。
【請求項６】
第２の無線装置において第１の無線装置からのデータを受信する方法において、
第１の複数のデータビットから生成された第１のデータパケットを前記第１の無線装置から受信するステップ、
前記第１のデータパケットから第２の複数のデータビットを作成するのに第１のデインタリーブスキーム及び第１のサブキャリアデマッピングスキームの少なくとも一方を採用するステップ、並びに
前記第１のデータパケットが正しく受信されない場合に、
前記第１の複数のデータビットから生成された第２のデータパケットを前記第１の無線装置から受信するステップ、及び
前記第２のデータパケットから第３の複数のデータビットを生成するのに第２のデインタリーブスキーム及び第２のサブキャリアデマッピングスキームの少なくとも一方を採用するステップ、
を有する方法。
【請求項７】
前記第１のデータパケットを復号するステップと、
前記第１のデータパケットが正しく受信されない場合に、
前記第１のデータパケットを復号するのに使用されたのと同じ復号スキームを使用して前記第２のデータパケットを復号するステップと、
を有する請求項６に記載の方法。
【請求項８】
前記第１のデインタリーブスキーム及び前記第１のサブキャリアデマッピングスキームの両方が、前記第１のデータパケットから前記第２の複数のデータビットを生成するのに採用され、前記第１のデインタリーブスキーム及び前記第２のサブキャリアデマッピングスキームが、前記第２のデータパケットから前記第３の複数のデータビットを生成するのに採用される、請求項６に記載の方法。
【請求項９】
前記第１のデインタリーブスキーム及び前記第１のサブキャリアデマッピングスキームの両方が、前記第１のデータパケットから前記第２の複数のデータビットを生成するのに採用され、前記第２のデインタリーブスキーム及び前記第１のサブキャリアデマッピングスキームが、前記第２のデータパケットから前記第３の複数のデータビットを生成するのに採用される、請求項６に記載の方法。
【請求項１０】
前記第１のデインタリーブスキーム及び前記第１のサブキャリアデマッピングスキームの両方が、前記第１のデータパケットから前記第２の複数のデータビットを生成するのに採用され、前記第２のデインタリーブスキーム及び前記第２のサブキャリアデマッピングスキームが、前記第２のデータパケットから前記第３の複数のデータビットを生成するのに採用される、請求項６に記載の方法。
【請求項１１】
第１の複数のデータビットから第１のデータパケットを作成するのに第１のインタリーブスキーム及び第１のサブキャリアマッピングスキームの少なくとも一方を採用し、前記第１のデータパケットを第２の無線装置に送信する送信器を含む無線装置において、
前記第１のデータパケットが前記第２の無線装置により成功裏に受信されない場合に、前記送信器が、前記第１の複数のデータビットから第２のデータパケットを作成するのに第２のインタリーブスキーム及び第２のサブキャリアマッピングスキームの少なくとも一方を採用し、前記第２のデータパケットを前記第２の無線装置に送信する、
装置。
【請求項１２】
前記送信器が、前記第１の複数のデータビットから前記第１のデータパケットを生成するのに前記第１のインタリーブスキーム及び前記第１のサブキャリアマッピングスキームの両方を採用し、前記送信器が、前記第１の複数のデータビットから前記第２のデータパケットを生成するのに前記第１のインタリーブスキーム及び前記第２のサブキャリアマッピングスキームを採用する、請求項１１に記載の装置。
【請求項１３】
前記送信器が、前記第１の複数のデータビットから前記第１のデータパケットを生成するのに前記第１のインタリーブスキーム及び前記第１のサブキャリアマッピングスキームの両方を採用し、前記送信器が、前記第１の複数のデータビットから前記第２のデータパケットを生成するのに前記第２のインタリーブスキーム及び前記第１のサブキャリアマッピングスキームを採用する、請求項１１に記載の装置。
【請求項１４】
前記送信器が、前記第１の複数のデータビットから前記第１のデータパケットを生成するのに前記第１のインタリーブスキーム及び前記第１のサブキャリアマッピングスキームの両方を採用し、前記送信器が、前記第１の複数のデータビットから前記第２のデータパケットを生成するのに前記第２のインタリーブスキーム及び前記第２のサブキャリアマッピングスキームを採用する、請求項１１に記載の装置。
【請求項１５】
第１の複数のデータビットから生成された第１のデータパケットを第１の無線装置から受信する受信器を含む無線装置において、前記受信器が、前記第１のデータパケットから第２の複数のデータビットを作成するのに第１のデインタリーブスキーム及び第１のサブキャリアデマッピングスキームの少なくとも一方を採用し、
前記第１のデータパケットが正しく受信されない場合に、前記受信器が、前記第１の複数のデータビットから生成された第２のデータパケットを前記第１の無線装置から受信し、前記第２のデータパケットから第３の複数のデータビットを生成するのに第２のデインタリーブスキーム及び第２のサブキャリアデマッピングスキームの少なくとも一方を採用する、
装置。
【請求項１６】
前記受信器が、前記第１のデータパケットから前記第２の複数のデータビットを生成するのに前記第１のデインタリーブスキーム及び前記第１のサブキャリアデマッピングスキームの両方を採用し、前記受信器が、前記第２のデータパケットから前記第３の複数のデータビットを生成するのに前記第１のデインタリーブスキーム及び前記第２のサブキャリアデマッピングスキームを採用する、請求項１５に記載の装置。
【請求項１７】
前記受信器が、前記第１のデータパケットから前記第２の複数のデータビットを生成するのに前記第１のデインタリーブスキーム及び前記第１のサブキャリアデマッピングスキームの両方を採用し、前記受信器が、前記第２のデータパケットから前記第３の複数のデータビットを生成するのに前記第２のデインタリーブスキーム及び前記第１のサブキャリアデマッピングスキームを採用する、請求項１５に記載の装置。
【請求項１８】
前記受信器が、前記第１のデータパケットから前記第２の複数のデータビットを生成するのに前記第１のデインタリーブスキーム及び前記第１のサブキャリアデマッピングスキームの両方を採用し、前記受信器が、前記第２のデータパケットから前記第３の複数のデータビットを生成するのに前記第２のデインタリーブスキーム及び前記第２のサブキャリアデマッピングスキームを採用する、請求項１５に記載の装置。